(57)【特許請求の範囲】
【請求項１】
負極ゲルを含む２次空気金属電池、及び前記２次空気金属電池を内部に収容するケースを備える空気金属電池アセンブリを充電する空気金属電池充電装置において、
外部電源を利用して前記空気金属電池アセンブリに供給する供給電力を発生させ、前記供給電力を前記空気金属電池アセンブリに供給する充電部と、
所定の水分を含む加湿空気を発生させ、前記空気金属電池アセンブリと連結された加湿空気供給口を介して前記加湿空気を前記ケースの内部に供給する加湿空気供給部と、
を備え、
前記加湿空気供給部は、
前記加湿空気を発生させるために必要な水を貯蔵する貯水部と、
前記貯水部から供給された水を使用して前記加湿空気を発生させ、前記加湿空気供給口に前記加湿空気を排出する加湿空気発生及び排出部と、
前記負極ゲルの硬化度によって前記加湿空気発生及び排出部の加湿量を調節する加湿量調節部と、
を備えることを特徴とする空気金属電池充電装置。
【請求項２】
前記空気金属電池充電装置は、前記充電部及び前記加湿空気供給部のうち一つ以上を選択的に動作させることができるスィッチをさらに備えることを特徴とする請求項１に記載の空気金属電池充電装置。
【請求項３】
前記加湿量調節部は、前記負極ゲルの硬化度別の流入電流量情報及び硬化度別の加湿量情報を含むデータである加湿量調節データを保存することを特徴とする請求項１に記載の空気金属電池充電装置。
【請求項４】
前記加湿量調節部は、前記充電部が前記空気金属電池アセンブリに供給する供給電流量を前記充電部から獲得し、前記加湿量調節データから前記供給電流量に該当する特定の加湿量調節データを抽出し、前記特定の加湿量調節データに含まれた加湿量情報を利用して前記加湿空気発生及び排出部の加湿量を調節することを特徴とする請求項３に記載の空気金属電池充電装置。
【請求項５】
負極ゲル、正極集電体及び負極集電体を備える２次空気金属電池を備える空気金属電池アセンブリにおいて、
前記空気金属電池アセンブリの外観を構成し、内側に前記２次空気金属電池を収容するための収容空間を備え、一側に吸気口を形成し、他側に排気口を形成したケースと、
前記正極集電体及び前記負極集電体を介して出力される放電電力を外部の負荷に供給し、前記２次空気金属電池を充電するための供給電力を空気金属電池充電装置から受けて前記正極集電体及び前記負極集電体に伝達する受電及び給電部と、
所定の水分を含む加湿空気を発生させ、加湿空気供給口を介して前記加湿空気を前記ケースの内部に供給する加湿空気供給部と、
を備え、
前記加湿空気供給部は、
前記加湿空気を発生させるために必要な水を貯蔵する貯水部と、
前記貯水部から供給された水を使用して前記加湿空気を発生させ、前記加湿空気供給口に前記加湿空気を排出する加湿空気発生及び排出部と、
前記負極ゲルの硬化度によって前記加湿空気発生及び排出部の加湿量を調節する加湿量調節部と、
を備えることを特徴とする空気金属電池アセンブリ。
【請求項６】
前記ケースは、前記吸気口を開閉する吸気口カバー及び前記排気口を開閉する排気口カバーを備えることを特徴とする請求項５に記載の空気金属電池アセンブリ。
【請求項７】
前記ケースは、一つ以上の前記２次空気金属電池を収容することを特徴とする請求項５に記載の空気金属電池アセンブリ。
【請求項８】
前記受電及び給電部は、一端が前記正極集電体及び前記負極集電体にそれぞれ連結され、他端には前記外部の負荷または前記空気金属電池充電装置と電気的に接続するためのコネクターまたは端子が形成されることを特徴とする請求項５に記載の空気金属電池アセンブリ。
【請求項９】
負極ゲル、正極集電体及び負極集電体を備える２次空気金属電池と、内側に前記２次空気金属電池を収容するための収容空間とを備え、一側に吸気口を形成し、他側に排気口を形成するケースと、前記正極集電体及び前記負極集電体を介して出力される放電電力を外部の負荷に供給し、前記２次空気金属電池を充電するための供給電力を前記正極集電体及び前記負極集電体に伝達する受電及び給電部とを備える空気金属電池アセンブリと、
前記供給電力を発生させて前記空気金属電池アセンブリに供給する充電部と、所定の水分を含む加湿空気を発生させ、加湿空気供給口を介して前記加湿空気を前記吸気口に供給する加湿空気供給部とを備える空気金属電池充電装置と、
を備え、
前記加湿空気供給部は、
前記加湿空気を発生させるために必要な水を貯蔵する貯水部と、
前記貯水部から供給された水を使用して前記加湿空気を発生させ、前記加湿空気供給口に前記加湿空気を排出する加湿空気発生及び排出部と、
前記負極ゲルの硬化度によって前記加湿空気発生及び排出部の加湿量を調節する加湿量調節部と、
を備えることを特徴とする空気金属電池充電システム。
【請求項１０】
前記空気金属電池充電装置は、前記充電部及び前記加湿空気供給部のうち一つ以上を選択的に動作させることができるスィッチをさらに備えることを特徴とする請求項９に記載の空気金属電池充電システム。
【発明の詳細な説明】
【技術分野】
【０００１】
本発明は、空気金属電池充電装置、空気金属電池アセンブリ及びそれを備える空気金属電池充電システムに係り、さらに詳細には、充電可能な空気金属電池である２次空気金属電池が放電すれば、電気的に２次空気金属電池を充電する空気金属電池充電装置、前記空気金属電池充電装置によって充電される２次空気金属電池を備える空気金属電池アセンブリ及びそれを備える空気金属電池充電システムに関する。
【背景技術】
【０００２】
電気化学電力源は、電気エネルギーが電気化学反応によって生成され得る装置である。この装置は、空気亜鉛電池及び空気アルミニウム電池のような空気金属電池を備える。空気金属電池は、放電中に金属酸化物に変換される金属からなる負極を採用し、正極としては水分子を含む透過性の膜であって、空気中の酸素と接触して水酸化イオンを発生させる空気正極膜を採用する。
【０００３】
このような空気金属電池は、従来の水素燃料電池に比べて多くの利点を有する。特に、亜鉛のような燃料が金属またはその酸化物として十分に存在し得るため、空気金属電池から提供されたエネルギーの供給が可視的に枯渇しないという利点がある。また、従来の水素燃料電池は再充填が要求されるが、それに対し、空気金属電池は電気的に再充電して使用可能であり、通常の燃料電池（＜０．８Ｖ）より高い出力電圧（１ないし４．５Ｖ）を伝達することができる。
【０００４】
図１は、正極集電体１１２を備え、内壁に沿って形成された正極１１０、亜鉛金属と電解質を混合した負極ゲル１２２及び負極集電体１２４を備える負極１２０、及び正極１１０と負極１２０を分離する分離膜１３０を備える２次空気金属電池１００を示す。ここで、正極１１０としては、前述のように空気正極膜を使用することができる。
【０００５】
前記のような２次空気金属電池１００は、正極１１０に備えられる正極集電体１１２及び負極１２０に備えられる負極集電体１２４を介して負荷に電源を供給、すなわち放電する。
【０００６】
これについて詳細に説明すれば、空気または他の供給源に供給された酸素は、２次空気金属電池１００の正極１１０に対する反応物として使用される。酸素が正極１１０内の反応サイトに到逹する場合、水と共に水酸化イオンに変換される。このような反応は、次の化学式で示されることができる。
【０００７】
【化１】
0005474201.tif 000002
【０００８】
これと同時に、電子が外部回路から電気として流動するようにリリースされる。水酸化イオンは、負極ゲル１２２を含む負極１２０に移動する。水酸化イオンが負極１２０に到逹する場合、水酸化亜鉛が負極１２０の表面上に形成される。水酸化亜鉛は亜鉛酸化物に分解され、水を放出してアルカリ水溶液になる。このような反応は次の化学式で示されることができる。
【０００９】
【化２】
0005474201.tif 000003
【００１０】
前記のような反応によって、２次空気金属電池１００は放電されて外部に電気エネルギーを供給する。その後、２次空気金属電池１００が放電限界に到逹して外部への電気エネルギーの供給が中断すれば、正極集電体１１２及び負極集電体１２４を使用して電気的充電を行うことで再使用が可能となる。
【００１１】
しかし、前記のように、２次空気金属電池１００の放電及び充電過程が繰り返されれば、負極１２０に含まれた負極ゲル１２２内の水分が減少して、負極ゲル１２２、すなわち電解質と亜鉛金属との混合物が硬化して、２次空気金属電池１００の再使用が不可能となるという問題点がある。
【００１２】
また、負極ゲル１２２が硬化するまでの放電及び充電の回数が、ニッケル水素充電バッテリー、リチウムイオン充電バッテリーのような既存の充電バッテリーの放電及び充電の回数に比べて少ないという問題点、すなわち２次空気金属電池１００の寿命が既存の充電バッテリーに比べて短いという問題点がある。
【発明の概要】
【発明が解決しようとする課題】
【００１３】
前述の問題点を解決するために、本発明は、２次空気金属電池に電源を供給して２次空気金属電池を充電するとともに、所定の水分を含む空気を２次空気金属電池に供給して、２次空気金属電池に含まれた負極ゲルが硬化することを防止するための空気金属電池充電装置、前記２次空気金属電池を備え、前記空気金属電池充電装置から電源及び所定の水分を含む加湿空気が供給される空気金属電池アセンブリ及びそれを備える空気金属電池充電システムを提供するところにその目的がある。
【課題を解決するための手段】
【００１４】
前記目的を達成するために、本発明は、負極ゲル（Ｇｅｌ）を含む２次空気金属電池、及び前記２次空気金属電池を内部に収容するケースを備える空気金属電池アセンブリを充電する空気金属電池充電装置において、外部電源を利用して前記空気金属電池アセンブリに供給する供給電力を発生させ、前記供給電力を前記空気金属電池アセンブリに供給する充電部と、所定の水分を含む加湿空気を発生させ、前記空気金属電池アセンブリと連結された加湿空気供給口を介して前記加湿空気を前記ケースの内部に供給する加湿空気供給部と、を備えることを特徴とする空気金属電池充電装置を提供する。
【００１５】
前記空気金属電池充電装置は、前記充電部及び前記加湿空気供給部のうち一つ以上を選択的に動作させることができるスィッチをさらに備えることができる。
【００１６】
前記加湿空気供給部は、前記加湿空気を発生させるために必要な水を貯蔵する貯水部と、前記貯水部から供給された水を使用して前記加湿空気を発生させ、前記加湿空気供給口に前記加湿空気を排出する加湿空気発生及び排出部と、を備えることができる。
【００１７】
前記加湿空気供給部は、前記負極ゲルの硬化度によって前記加湿空気発生及び排出部の加湿量を調節する加湿量調節部をさらに備えることができる。
【００１８】
前記加湿量調節部は、前記負極ゲルの硬化度別の流入電流量情報及び硬化度別の加湿量情報を含むデータである加湿量調節データを保存することができる。
【００１９】
前記加湿量調節部は、前記充電部が前記空気金属電池アセンブリに供給する供給電流量を前記充電部から獲得し、前記加湿量調節データから前記供給電流量に該当する特定の加湿量調節データを抽出し、前記特定の加湿量調節データに含まれた加湿量情報を利用して前記加湿空気発生及び排出部の加湿量を調節することができる。
【００２０】
また、本発明の他の目的によれば、負極ゲル、正極集電体及び負極集電体を備える２次空気金属電池を備える空気金属電池アセンブリにおいて、前記空気金属電池アセンブリの外観を構成し、内側に前記２次空気金属電池を収容するための収容空間を備え、一側に吸気口を形成し、他側に排気口を形成したケースと、前記正極集電体及び前記負極集電体を介して出力される放電電力を外部の負荷に供給し、前記２次空気金属電池を充電するための供給電力を空気金属電池充電装置から受けて前記正極集電体及び前記負極集電体に伝達する受電及び給電部と、を備えることを特徴とする空気金属電池アセンブリを提供する。
【００２１】
前記ケースは、前記吸気口を開閉する吸気口カバー及び前記排気口を開閉する排気口カバーを備えることができる。
【００２２】
前記ケースは、一つ以上の前記２次空気金属電池を収容することができる。
【００２３】
前記受電及び給電部は、一端が前記正極集電体及び前記負極集電体にそれぞれ連結され、他端には前記外部の負荷または前記空気金属電池充電装置と電気的に接続するためのコネクターまたは端子が形成されることができる。
【００２４】
また、本発明のさらに他の目的によれば、負極ゲル、正極集電体及び負極集電体を備える２次空気金属電池、内側に前記２次空気金属電池を収容するための収容空間を備え、一側に吸気口を形成し、他側に排気口を形成するケースと、前記正極集電体及び前記負極集電体を介して出力される放電電力を外部の負荷に供給し、前記２次空気金属電池を充電するための供給電力を前記正極集電体及び前記負極集電体に伝達する受電及び給電部とを備える空気金属電池アセンブリと、前記供給電力を発生させて前記空気金属電池アセンブリに供給する充電部と、所定の水分を含む加湿空気を発生させ、加湿空気供給口を介して前記加湿空気を前記吸気口に供給する加湿空気供給部とを備える空気金属電池充電装置と、を備える空気金属電池充電装置と、を備えることを特徴とする空気金属電池充電システムを提供する。
【００２５】
前記空気金属電池充電装置は、前記充電部及び前記加湿空気供給部のうち一つ以上を選択的に動作させることができるスィッチをさらに備えることができる。
【発明の効果】
【００２６】
本発明によれば、空気金属電池充電装置において、空気金属電池アセンブリに備えられた２次空気金属電池を充電するとき、所定の水分を含む加湿空気を空気金属電池アセンブリに供給して、２次空気金属電池の負極ゲルが加湿空気に含まれた水分を吸収することができるため、２次空気金属電池の反復使用による負極ゲルの硬化を遅延または防止することができる。
【図面の簡単な説明】
【００２７】
【図１】２次空気金属電池の構成の概略を示す図面である。
【図２】本発明の実施形態による空気金属電池充電装置の概略を示すブロック構成図である。
【図３】本発明の実施形態による加湿空気供給部の概略を示すブロック構成図である。
【図４】本発明の実施形態による加湿量調節部をさらに備える加湿空気供給部の概略を示すブロック構成図である。
【図５】本発明の実施形態による加湿量調節データを例示的に示す図面である。
【図６】本発明の実施形態による空気金属電池アセンブリの概略を示すブロック構成図である。
【図７】本発明の実施形態による空気金属電池充電システムの概略を示すブロック構成図である。
【発明を実施するための形態】
【００２８】
後述する本発明についての詳細な説明は、本発明が実施され得る特定の実施形態を例示として示す添付図面を参照する。これらの実施形態は、当業者がその実施をすることができる程度に十分に記載されている。当然、本発明の様々な実施形態は、異なるものであるが、必ずしも相互に相容れないわけではない。例えば、一実施形態に関連してここで記載される特定の特徴、構成、又は特性は、本発明の精神及び適用範囲から逸脱することなく他の実施形態の範囲内で実施されてよい。加えて、当然、夫々の開示される実施形態の範囲内にある個々の要素の位置又は配置は、本発明の精神及び適用範囲から逸脱することなく変更されてよい。従って、以下の詳細な記載は限定の意味で捉えられるべきではなく、本発明の適用範囲は、添付の特許請求の範囲が取り得る均等の全範囲とともに、適切に解釈される特許請求の範囲によってのみ定義される。図面において、同じ参照符号は、複数の図にわたって同一の又は類似する機能性を表す。
【００２９】
以下、本発明の属する技術分野において通常の知識を有する者が本発明を容易に実施できるように、本発明の好ましい実施形態を添付図面を参照して詳細に説明する。
【００３０】
図２は、本発明の実施形態による空気金属電池充電装置の概略を示すブロック構成図である。
【００３１】
本発明の実施形態による空気金属電池充電装置２００は充電部２１０及び加湿空気供給部２２０を備える。
【００３２】
充電部２１０は、外部電源を利用して後述する空気金属電池アセンブリ６００、すなわち負極ゲルを含む２次空気金属電池１００、及び２次空気金属電池１００を内部に収容するケース６１０を備える空気金属電池アセンブリ６００に供給する供給電力を発生させ、電力供給ライン２１２を介して供給電力を空気金属電池アセンブリ６００に供給する。言い替えれば、充電部２１０は、空気金属電池アセンブリ６００に備えられた２次空気金属電池１００を充電する。
【００３３】
図２においては、図示していないが、充電部２１０は、外部電源と連結されるコネクター、コネクターを介して入力される交流電源を直流に変換して出力するアダプダ、アダプダから出力された直流電力を一定に保つレギュレーター、及びレギュレーターから直流電力を受けて供給電力に変換して出力する充電駆動回路を備えることができる。
【００３４】
本発明の実施形態による加湿空気供給部２２０は、所定の水分を含む加湿空気を発生させ、加湿空気供給口２２２を介して加湿空気を空気金属電池アセンブリ６００に供給する。ここで、加湿空気供給部２２０は、空気金属電池アセンブリ６００に備えられた２次空気金属電池１００の充電の際に加湿空気を空気金属電池アセンブリ６００に供給、すなわち充電部２１０と並行して動作することが好ましいが、必ずしもこれに限定されるものではなく、充電部２１０の動作と関係なく動作することも可能である。
【００３５】
本発明の実施形態において、加湿空気供給部２２０が充電部２１０の動作と関係なく動作する場合、空気金属電池充電装置２００は、充電部２１０及び加湿空気供給部２２０のうち一つ以上を選択的に動作させ得るスィッチ（図示せず）をさらに備えることが好ましい。
【００３６】
本発明の実施形態において、加湿空気供給部２２０は、図３に示すように、加湿空気供給口２２２、貯水部２２４、加湿空気発生及び排出部２２６、及び水供給管２２８を備える。
【００３７】
貯水部２２４は、後述する加湿空気発生及び排出部２２６で加湿空気を発生させるために必要な水を貯蔵する。
【００３８】
加湿空気発生及び排出部２２６は、貯水部２２４から供給された水を使用して加湿空気を発生させ、加湿空気供給口２２２に加湿空気を排出する。図３に図示していないが、加湿空気発生及び排出部２２６は、水を気化させる気化部、及び加湿空気を加湿空気供給口２２２に排出するファンモーターを備えることができる。
【００３９】
一方、本発明の実施形態による加湿空気供給部２２０は、図４に示すように、空気金属電池アセンブリ６００の負極ゲルの硬化度によって加湿空気発生及び排出部２２６の湿度を調節する加湿量調節部４１０をさらに備えることができる。ここで、負極ゲルの硬化度は、充電部２１０が空気金属電池アセンブリ６００に供給する供給電流量によって分かる。
【００４０】
言い替えれば、負極ゲルの硬化度が高いほど供給電流量が減少する。したがって、空気金属電池アセンブリ６００の使用程度によってそれぞれ異なる硬化度を有する負極ゲルに流入する流入電流量（供給電流量と同一である）をそれぞれ測定して、それぞれの硬化度に対応する硬化度別の流入電流量をデータとして生成することができ、これを利用して供給電流量による負極ゲルの硬化度が分かる。
【００４１】
さらに詳細に説明すれば、加湿量調節部４１０は、充電部２１０が空気金属電池アセンブリ６００に供給する供給電流量を充電部２１０から獲得し、図５に示すように、硬化度別の流入電流量情報及び硬化度別の加湿量情報を含むデータである加湿量調節データから供給電流量に該当する特定の加湿量調節データを抽出し、特定の加湿量調節データに含まれた加湿量情報を利用して加湿空気発生及び排出部２２６の加湿量を調節する。
【００４２】
言い替えれば、加湿量調節部４１０が加湿量情報によって加湿空気発生及び排出部２２６を制御して、加湿空気発生及び排出部２２６で加湿量情報に該当する加湿量で空気を加湿するようにする。
【００４３】
図６は、本発明の実施形態による空気金属電池アセンブリの概略を示すブロック構成図である。
【００４４】
本発明の実施形態による空気金属電池アセンブリ６００は、ケース６１０、受電及び給電ライン６２０、及び２次空気金属電池１００を備える。ここで、２次空気金属電池１００の構成は前述の通りであり、以下ではそれについての詳細な説明を省略する。
【００４５】
ケース６１０は、空気金属電池アセンブリ６００の外観を構成し、内側に２次空気金属電池１００を収容するための収容空間を備え、外部空気または所定の水分を含む加湿空気を内側に吸い込む吸気口６１２を一側に形成し、内側に流入した外部空気または加湿空気を外部に排出する排気口６１４を他側に形成する。ここで、加湿空気は前述の空気金属電池充電装置２００から供給されることは言うまでもない。
【００４６】
このようなケース６１０は、内側に備える収容空間に２次空気金属電池１００を収容し、吸気口６１２を介して外部空気または加湿空気をケース６１０の内部に流入させることによって、２次空気金属電池１００で放電を引き起こし、内部に流入した外部空気または加湿空気を排気口６１４を介してケース６１０の外部に排出する。
【００４７】
また、収容空間に収容された２次空気金属電池１００の充電の際には、吸気口６１２を介して加湿空気を内側に流入させてケース６１０の内部の湿度を上昇させることによって、２次空気金属電池１００の負極ゲルに所定の水分を吸収させる。
【００４８】
ここで、ケース６１０は、吸気口６１２を開閉する吸気口カバー（図示せず）及び排気口６１４を開閉する排気口カバー（図示せず）を備えることができる。
【００４９】
一方、図６では、説明の便宜上、ケース６１０が唯一つの２次空気金属電池１００を収容しているが、本発明を実際に適用する場合には、ケース６１０が一つ以上の２次空気金属電池１００を収容することができることは言うまでもない。
【００５０】
受電及び給電部６２０は、前述の２次空気金属電池１００の正極集電体１１２及び負極集電体１２４を介して出力される２次空気金属電池１００の放電電力を外部の負荷に供給し、空気金属電池充電装置２００から供給された供給電力を正極集電体１１２及び負極集電体１２４に伝達する。
【００５１】
さらに詳細に説明すれば、受電及び給電部６２０は、一端が２次空気金属電池１００の正極集電体１１２及び負極集電体１２４にそれぞれ連結され、他端には外部の負荷または空気金属電池充電装置２００と電気的に接続するためのコネクターまたは端子が形成される。したがって、空気金属電池アセンブリ６００に備えられた２次空気金属電池２００から出力される放電電力をコネクターまたは端子に接続した外部の負荷に伝達するか、またはコネクターまたは端子に接続した空気金属電池充電装置２００から供給された供給電力を一端にそれぞれ連結された正極集電体１１２及び負極集電体１２４に伝達する。これにより、２次空気金属電池１００は、正極集電体１１２及び負極集電体１２４を介して伝達された供給電力を利用して充電を行う。
【００５２】
以上で説明したように、本発明の実施形態による空気金属電池アセンブリ６００は、ケース６１０に構成された吸気口６１２及び排気口６１４を介して加湿空気を内部に流入及び排出させて、２次空気金属電池１００が収容された内部空間に加湿空気を充填させるため、放電及び充電によって硬化中の２次空気金属電池１００の負極ゲルがケース６１０の内部空間に充填された加湿空気から適正量の水分を吸収してさらに柔軟化されることができる。
【００５３】
これについては図７を参照して詳細に説明する。
【００５４】
図７は、本発明の実施形態による空気金属電池充電システムの概略を示すブロック構成図である。
【００５５】
本発明の実施形態による空気金属電池充電システム７００は、前述のように、負極ゲル、正極集電体１１２及び負極集電体１２４を備える２次空気金属電池１００と、内側に２次空気金属電池１００を収容するための収容空間を備え、一側に吸気口６１２を形成し、他側に排気口６１４を形成するケース６１０と、正極集電体１１２及び負極集電体１２４を介して出力される放電電力を外部の負荷に供給し、２次空気金属電池１００を充電するための供給電力を正極集電体１１２及び負極集電体１２４に伝達する受電及び給電部６２０とを備える空気金属電池アセンブリ６００、及び供給電力を発生させて空気金属電池アセンブリ６００に供給する充電部２１０と、所定の水分を含む加湿空気を発生させ、加湿空気供給口２２２を介して加湿空気を吸気口６１２に供給する加湿空気供給部２２０とを備える空気金属電池充電装置２００を備える。
【００５６】
前記のような空気金属電池充電システム７００において、空気金属電池充電装置２００の充電部２１０は、電力供給ライン２１２を介して空気金属電池アセンブリ６００の受電及び給電部６２０と接続して供給電力を受電及び給電部６２０に伝達し、受電及び給電部６２０を介して伝達された供給電力によって空気金属電池アセンブリ６００に備えられた２次空気金属電池１００が充電される。
【００５７】
一方、空気金属電池充電装置２００の加湿空気供給部２２０は、加湿空気供給口２２２を介して空気金属電池アセンブリ６００の吸気口６１２と結合して所定の水分を含む加湿空気を吸気口６１２に伝達する。
【００５８】
吸気口６１２を介して空気金属電池アセンブリ６００のケース６１０の内部に伝達された加湿空気は、図７の点線の矢印で示すように、ケース６１０の内部に均一に充填された後、排気口６１４を介してケース６１０の外部に排出される。
【００５９】
前記のように、空気金属電池アセンブリ６００の充電の際に加湿空気が空気金属電池アセンブリ６００のケース６１０の内部に充填されれば、放電及び充電によって硬化が進行中の２次空気金属電池１００の負極ゲルが加湿空気に含まれた水分を吸収して再び柔軟化されることによって、２次空気金属電池１００の寿命を従来より延ばすことができる。
【００６０】
以上述べたように、本発明は、限定された実施形態及び図面と具体的な構成要素などの特定の事項とによって説明されたが、これは、本発明の全般的な理解を助けるために提供されたものに過ぎず、本発明が前記実施形態に限定されるものではなく、本発明の属する技術分野における通常の知識を有する者なら、このような記載から多様な修正及び変形を図ることができる。
【００６１】
したがって、本発明の思想は、前記説明された実施形態に限定されるものではなく、後述する特許請求の範囲のみならず、この特許請求の範囲と均等な、または等価的に変形されたすべてのものは、本発明の思想の範疇に属するものと解釈すべきである。
【図１】
0005474201.tif 000004
【図２】
0005474201.tif 000005
【図３】
0005474201.tif 000006
【図４】
0005474201.tif 000007
【図５】
0005474201.tif 000008
【図６】
0005474201.tif 000009
【図７】
0005474201.tif 000010